(57)【要約】【課題】放射線から人間の目を防護する場合、放射線が目に進入する率が低く、しかも、人間の前方の視野が良く見える放射線防護用眼鏡を提供することを目的とする。【解決手段】放射線防護用眼鏡を装着者が装着したときに、上記装着者の目の前面に設置される放射線遮蔽物と、上記装着者の前面の視野からの可視光を反射し、放射線を反射しない第１の反射手段と、上記第１の反射手段が反射した光を、反射し、この反射光を上記装着者の目に導く第２の反射手段であって、上記放射線遮蔽物と上記装着者の目との間に設けられている第２の反射手段とを有することを特徴とする。【選択図】図１
2015152548.tif 000002
【特許請求の範囲】
【請求項１】
放射線防護用眼鏡であって、
上記放射線防護用眼鏡を装着者が装着したときに、上記装着者の目の前面に設置される放射線遮蔽物と；    
上記装着者の前面の視野からの可視光を反射し、放射線を反射しない第１の反射手段と；
上記第１の反射手段が反射した可視光を、反射し、この反射光を上記装着者の目に導く第２の反射手段であって、上記放射線遮蔽物と上記装着者の目との間に設けられている第２の反射手段と；
を有することを特徴とする放射線防護用眼鏡。
【請求項２】
請求項１において、
上記視野と上記第１の反射手段との間に設けられている凸レンズと；
上位第２の反射手段と上記装着者の目との間に設けられる凹レンズと；
を有することを特徴とする放射線防護用眼鏡。
【請求項３】
請求項１において、
上記第１の反射手段は、凸面鏡であり、
上記第２の反射手段は、凹面鏡であることを特徴とする放射線防護用眼鏡。
【請求項４】
請求項１において、
上記視野と上記第１の反射手段との間に、ポロプリズムが設けられていることを特徴とする放射線防護用眼鏡。
【請求項５】
請求項１において、
上記視野と上記第１の反射手段との間に、シュミットプリズムが設けられていることを特徴とする放射線防護用眼鏡。
【請求項６】
請求項１において、
上記第１の反射手段は、放射線遮蔽材料で構成されている筒に収容されていることを特徴とする放射線防護用眼鏡。
【請求項７】
放射線防護用眼鏡であって、
上記放射線防護用眼鏡を装着者が装着したときに、上記装着者の目の前面に設置される放射線遮蔽物と；
一方の端面が、上記装着者の前面の視野に対向し、他方の端面が、上記装着者の目に対向している光ファイバと；
を有することを特徴とする放射線防護用眼鏡。
【請求項８】
請求項７において、
上記装着者の前面の視野と上記光ファイバの上記一方の端面との間に設けられている結像レンズと；
上記光ファイバの上記他方の端面と上記装着者の目との間に設けられている虫眼鏡と；
を有することを特徴とする放射線防護用眼鏡。
【請求項９】
放射線防護用眼鏡であって、
上記放射線防護用眼鏡を装着者が装着したときに、上記装着者の目の前面に設置される放射線遮蔽物と；
上記装着者の前面の視野に対向している受光素子と；
上記装着者の目と上記放射線遮蔽物との間に設けられ、上記装着者の目に対向しているディスプレイと；
上記受光素子の出力信号を、上記ディスプレイに送信する信号線と；
を有することを特徴とする放射線防護用眼鏡。
【請求項１０】
請求項９において、
上記装着者の前面の視野と上記受光素子との間に設けられている結像レンズと；
上記ディスプレイと上記装着者の目との間に設けられている虫眼鏡と；
を有することを特徴とする放射線防護用眼鏡。
【発明の詳細な説明】
【技術分野】
【０００１】
本発明は、放射能汚染から人間の目を守る放射線防護用眼鏡に関する。
【背景技術】
【０００２】
従来、放射能汚染から人間の目を守る場合、人間の頭部の全体を二重壁のマスクで覆い、この二重壁の間隙にほう酸水を充填する装置が知られている（たとえば、特許文献１参照）。
【先行技術文献】
【特許文献】
【０００３】
【特許文献１】特開平５−９６０１９号公報
【発明の概要】
【発明が解決しようとする課題】
【０００４】
しかし、上記従来例では、放射線から人間の目を防護する場合、放射線が目に進入する率が低いとはいえない。上記従来例において、放射線が目に進入する率を低くするためには、二重壁に充填されているほう酸水の厚みを厚くする必要があり、このようにすると、放射線防護装置が大型化するという問題がある。
【０００５】
放射線防護用眼鏡を小型化するためには、ゴーグルの前面の光透過部分に鉛ガラスを張り付けることが考えられる。しかし、このようにした場合、放射線が目に進入する率が低いとはいえないという問題がある。
【０００６】
本発明は、放射線から人間の目を防護する場合、放射線が目に進入する率が低く、しかも、人間の前面の視野が良く見える放射線防護用眼鏡を提供することを目的とする。
【課題を解決するための手段】
【０００７】
本発明の放射線防護用眼鏡は、放射線防護用眼鏡であって、上記放射線防護用眼鏡を装着者が装着したときに、上記装着者の目の前面に設置される放射線遮蔽物と、上記装着者の前面の視野からの可視光を反射し、放射線を反射しない第１の反射手段と、上記第１の反射手段が反射した可視光を、反射し、この反射光を上記装着者の目に導く第２の反射手段であって、上記放射線遮蔽物と上記装着者の目との間に設けられている第２の反射手段とを有することを特徴とする。
【発明の効果】
【０００８】
本発明によれば、放射線から人間の目を防護する場合、放射線が目に進入する率が低く、しかも、人間の前面の視野が良く見えるという効果を奏する。
【図面の簡単な説明】
【０００９】
【図１】本発明の実施例１である放射線防護用眼鏡１００と、放射線防護用眼鏡１００を装着している装着者Ｐ１の顔Ｆ１とを示す側面図である。
【図２】本発明の実施例２である放射線防護用眼鏡２００と、放射線防護用眼鏡２００を装着している装着者Ｐ２の顔Ｆ２とを示す平面図である。
【図３】本発明の実施例３である放射線防護用眼鏡３００と、放射線防護用眼鏡３００を装着している装着者Ｐ３の顔Ｆ１とを示す側面図である。
【図４】本発明の実施例４である放射線防護用眼鏡４００と、放射線防護用眼鏡４００を装着している装着者Ｐ４の顔Ｆ１とを示す側面図である。
【図５】本発明の実施例５である放射線防護用眼鏡５００と、放射線防護用眼鏡５００を装着している装着者Ｐ５の顔Ｆ１とを示す側面図である。
【図６】本発明の実施例６である放射線防護用眼鏡６００と、放射線防護用眼鏡６００を装着している装着者Ｐ６の顔Ｆ１とを示す側面図である。
【図７】本発明の実施例７である放射線防護用眼鏡７００と、放射線防護用眼鏡７００を装着している装着者Ｐ７の顔Ｆ２とを示す平面図である。
【図８】本発明の実施例８である放射線防護用眼鏡８００と、放射線防護用眼鏡８００を装着している装着者Ｐ８の顔Ｆ２とを示す平面図である。
【発明を実施するための形態】
【００１０】
発明を実施するための形態は、以下の実施例である。
【実施例１】
【００１１】
図１は、本発明の実施例１である放射線防護用眼鏡１００と、放射線防護用眼鏡１００を装着している装着者Ｐ１の顔Ｆ１とを示す側面図である。
【００１２】
放射線防護用眼鏡１００は、鉛板１１と、第１のミラーＭ１と、第２のミラーＭ２と、遮蔽板Ｓ０、Ｓ１、Ｓ２とを有する。
【００１３】
鉛板１１は、放射線遮蔽物の例であり、装着者Ｐ１が放射線防護用眼鏡１００を装着したときに、装着者Ｐ１の目Ｅ１の前面に設置される。
【００１４】
第１のミラーＭ１は、第１の反射手段の例であり、装着者Ｐ１の前面の視野からの可視光を垂直方向に反射し、放射線を反射しない（透過する）。
【００１５】
第２のミラーＭ２は、第２の反射手段の例であり、第１のミラーＭ１が反射した光（可視光）を、垂直方向に反射し、この反射光を装着者Ｐ１の目Ｅ１に導くミラーであり、鉛板１１と装着者Ｐ１の目との間に設けられている。
【００１６】
遮蔽板Ｓ０、Ｓ１、Ｓ２は、鉛等で作られ、放射線を遮蔽する。
【００１７】
次に、放射線防護用眼鏡１００の動作について説明する。
【００１８】
図１に示すように、装着者Ｐ１が、放射線防護用眼鏡１００を装着すると、装着者Ｐ１の前面に放射物質が存在していても、その放射物質が発する放射線は、遮蔽板Ｓ０、鉛板１１によって遮蔽されるので、装着者Ｐ１の目Ｅ１にその放射線は到達しない。
【００１９】
一方、装着者Ｐ１の前面の視野に存在している被視認物からの可視光が、第１のミラーＭ１で反射し、この反射光が第２のミラーＭ２で反射され、装着者Ｐ１の目Ｅ１に達し、装着者Ｐ１が、上記被視認物を視覚的に認識することができる。
【００２０】
放射線防護用眼鏡１００を使用すれば、上記のように、装着者Ｐ１が放射線量の多い環境に存在していても、その放射線から、装着者Ｐ１の目Ｅ１を防護することができ、しかも、装着者Ｐ１の前面の視野に存在している被視認物を確実に視認することができる。
【００２１】
なお、図１には、左右の目の一方の目に使用する眼鏡のみを示してあるが、これを２組設け、両目に装着すれば、両目を放射線から保護することができ、両目で視認できる。
【００２２】
上記実施例は、鉛製のヘルメットで、その窓が通常のガラスで作られているヘルメットを人間が装着した場合等に使用する。また、放射線を透過しない車両であって、通常のガラスで作られている窓を有する車両に乗車した場合、その窓から人間が外界を見る場合に、使用する。
【実施例２】
【００２３】
図２は、本発明の実施例２である放射線防護用眼鏡２００と、放射線防護用眼鏡２００を装着している装着者Ｐ２の顔Ｆ２とを示す平面図である。つまり、図２は、人間が放射線防護用眼鏡２００を装着した場合、人間の頭の上から見た図である。
【００２４】
放射線防護用眼鏡２００は、放射線防護用眼鏡１００において、鉛ガラスＧ１、Ｇ２を付加した眼鏡であり、水平面で可視光を反射させ、放射線を反射しない眼鏡である。
【００２５】
放射線防護用眼鏡２００は、鉛板１２と、左目用の眼鏡と、右目用の眼鏡とを有する。
【００２６】
鉛板１２は、放射線遮蔽物の例であり、装着者Ｐ２が放射線防護用眼鏡２００を装着したときに、装着者Ｐ２の目Ｅ２１，Ｅ２２の前面に設置される。
【００２７】
左目用の眼鏡は、鉛ガラスＧ１と、第１のミラーＭ１１と、第２のミラーＭ２１と、放射線を遮蔽する遮蔽筒Ｓ１１とを有する。
【００２８】
鉛ガラスＧ１は、放射線を遮蔽し、可視光を通過させる。
【００２９】
第１のミラーＭ１１は、第１の反射手段の例であり、装着者Ｐ２の前面の視野からの可視光を水平方向に反射する。
【００３０】
第２のミラーＭ２１は、第２の反射手段の例であり、第１のミラーＭ１１で反射した可視光を、水平方向に反射し、この反射光を装着者Ｐ２の目Ｅ２１に導くミラーであり、鉛板１２と装着者Ｐ２の目Ｅ２１との間に設けられる。
【００３１】
右目用の眼鏡は、鉛ガラスＧ２と、第１のミラーＭ１２と、第２のミラーＭ２２と、放射線を遮蔽する遮蔽筒Ｓ２１とを有する。
【００３２】
第１のミラーＭ１２は、第１の反射手段の例であり、装着者Ｐ２の前面の視野からの可視光を水平方向に反射し、放射線を反射しない（透過する）。
【００３３】
第２のミラーＭ２２は、第２の反射手段の例であり、第１のミラーＭ１２で反射した可視光を水平方向に反射し、この反射光を装着者Ｐ２の目Ｅ２２に導くミラーであり、鉛板１２と装着者Ｐ２の目Ｅ２２との間に設けられる。
【００３４】
次に、放射線防護用眼鏡２００の動作について説明する。
【００３５】
図２に示すように、装着者Ｐ２が、放射線防護用眼鏡２００を装着すると、装着者Ｐ２の前面に放射物質が存在していても、その放射物質が発する放射線は、鉛板１２、鉛ガラスＧ１、Ｇ２、遮蔽筒Ｓ１１、Ｓ２１によって遮蔽されるので、装着者Ｐ２の目Ｅ２１、Ｅ２２にその放射線は到達しない。
【００３６】
一方、装着者Ｐ２の前面の視野に存在している被視認物からの可視光が、第１のミラーＭ１１で反射し、この反射光が第２のミラーＭ２１で反射され、装着者Ｐ２の目Ｅ２１に達し、装着者Ｐ２が、上記被視認物を視覚的に認識することができる。また、装着者Ｐ２の前面の視野に存在している被視認物からの可視光が、第１のミラーＭ１２で反射し、この反射光が第２のミラーＭ２２で反射され、装着者Ｐ２の目Ｅ２２に達し、装着者Ｐ２が、上記被視認物を視覚的に認識することができる。
【００３７】
放射線防護用眼鏡２００を使用すれば、上記のように、装着者Ｐ２が放射線量の多い環境に存在していても、その放射線から、装着者Ｐ２の目Ｅ２１、Ｅ２２を防護することができ、しかも、装着者Ｐ２の前面の視野に存在している被視認物を確実に視認することができる。また、鉛板１２、鉛ガラスＧ１、Ｇ２、遮蔽筒Ｓ１１、Ｓ２１によって放射線が遮蔽されるので、放射線から目Ｅ１を保護することができる。
【００３８】
なお、放射線防護用眼鏡２００において、鉛ガラスＧ１、Ｇ２を削除するようにしてもよい。
【実施例３】
【００３９】
図３は、本発明の実施例３である放射線防護用眼鏡３００と、放射線防護用眼鏡３００を装着している装着者Ｐ３の顔Ｆ１とを示す側面図である。
【００４０】
放射線防護用眼鏡３００は、放射線防護用眼鏡１００において、凸レンズＬ１と凹レンズＬ２と遮蔽板Ｓ１、Ｓ２とを設けた眼鏡である。凸レンズＬ１は、装着者Ｐ３の前面の視野と第１のミラーＭ１との間に設けられ、凹レンズＬ２は第２のミラーＭ２と目Ｅ１との間に設けられている。
【００４１】
凸レンズＬ１と凹レンズＬ２とによって、ガリレオ望遠鏡（オペラグラス）が形成されるので、放射線防護用眼鏡３００では、視野を拡大して視認することができる。また、鉛板１１、遮蔽板Ｓ０、Ｓ１、Ｓ２によって放射線が遮蔽されるので、放射線から目Ｅ１を保護することができる。
【実施例４】
【００４２】
図４は、本発明の実施例４である放射線防護用眼鏡４００と、放射線防護用眼鏡４００を装着している装着者Ｐ４の顔Ｆ１とを示す側面図である。
【００４３】
放射線防護用眼鏡４００は、放射線防護用眼鏡１００において、第１のミラーＭ１の代わりに、凸面鏡Ｍ３を設け、第２のミラーＭ２の代わりに、凹面鏡Ｍ４を設けた実施例である。
【００４４】
凸面鏡Ｍ３は、凸レンズの機能と平面ミラーの機能とを具備する鏡であり、凹面鏡Ｍ４は、凹レンズの機能と平面ミラーの機能とを具備する鏡である。凸面鏡Ｍ３は、可視光を反射するが、放射線を反射しない（透過する）。
【００４５】
したがって、放射線防護用眼鏡４００は、放射線防護用眼鏡３００と同様に、ガリレオ望遠鏡（オペラグラス）の機能を具備し、視野を拡大して視認することができる。また、鉛板１１、遮蔽板Ｓ０、Ｓ１、Ｓ２によって放射線が遮蔽されるので、放射線から目Ｅ１を保護することができる。
【実施例５】
【００４６】
図５は、本発明の実施例５である放射線防護用眼鏡５００と、放射線防護用眼鏡５００を装着している装着者Ｐ５の顔Ｆ１とを示す側面図である。
【００４７】
放射線防護用眼鏡５００は、放射線防護用眼鏡１００において、ポロプリズムＰＰが設けられている眼鏡である。
【００４８】
ポロプリズムＰＰは、画像の左右を反転し、また上下も反転するので、第１のミラーＭ１、第２のミラーＭ２で反転した画像を再び反転させ、つまり、正立画像が目Ｅ１で結像される。また、鉛板１１、遮蔽板Ｓ０、Ｓ１、Ｓ２によって放射線が遮蔽されるので、放射線から目Ｅ１を保護することができる。
【実施例６】
【００４９】
図６は、本発明の実施例６である放射線防護用眼鏡６００と、放射線防護用眼鏡６００を装着している装着者Ｐ６の顔Ｆ１とを示す側面図である。
【００５０】
放射線防護用眼鏡６００は、放射線防護用眼鏡５００において、ポロプリズムＰＰの代わりに、シュミットプリズムＳＰが設けられている眼鏡である。
【００５１】
シュミットプリズムＳＰは、双眼鏡用プリズムであり、第１のミラーＭ１に入力される可視光を反転させるものであり、これを第１のミラーＭ１、第２のミラーＭ２で反転させるので、正立画像が目Ｅ１で結像される。また、鉛板１１、遮蔽板Ｓ０、Ｓ１、Ｓ２によって放射線が遮蔽されるので、放射線から目Ｅ１を保護することができる。
【実施例７】
【００５２】
図７は、本発明の実施例７である放射線防護用眼鏡７００と、放射線防護用眼鏡７００を装着している装着者Ｐ７の顔Ｆ２とを示す平面図である。つまり、図７は、人間が放射線防護用眼鏡７００を装着した場合、人間の頭の上から見た図である。
【００５３】
放射線防護用眼鏡７００は、鉛板１３と、左目用の眼鏡と、右目用の眼鏡とを有する。
【００５４】
鉛板１３は、放射線遮蔽物の例であり、装着者Ｐ７が放射線防護用眼鏡７００を装着したときに、装着者Ｐ７の目Ｅ２１，Ｅ２２の前面に設置される。
【００５５】
上記左目用の眼鏡は、結像レンズＬ３１と、光ファイバ３１と、虫眼鏡Ｌ３２とを有する。結像レンズＬ３１は、視野と光ファイバ３１の一方の端面３１１との間に設けられ、虫眼鏡Ｌ３２は、光ファイバ３１の他の端面３１２と目Ｅ２１との間に設けられる。
【００５６】
結像レンズＬ３１は、視野からの光を、光ファイバ３１の一方の端面３１１に結像させるレンズである。光ファイバ３１の一方の端面３１１は、鉛板１３の横または鉛板１３の視野側に設けられ、視野に対向している。光ファイバ３１の他の端面３１２は、目Ｅ２１に対向している。
【００５７】
上記右目用の眼鏡は、結像レンズＬ４１と、光ファイバ３２と、虫眼鏡Ｌ４２とを有する。結像レンズＬ３２は、視野と光ファイバ３２の一方の端面３２１との間に設けられ、虫眼鏡Ｌ４２は、光ファイバ３２の他の端面３２２と目Ｅ２２との間に設けられる。
【００５８】
結像レンズＬ４１は、視野からの光を、光ファイバ３２の一方の端面３２１に結像させるレンズである。光ファイバ３２の一方の端面３２１は、鉛板１３の横に設けられ、視野に対向している。光ファイバ３２の他の端面３２２は、目Ｅ２２に対向している。
【００５９】
次に、放射線防護用眼鏡７００の動作について説明する。
【００６０】
結像レンズＬ３１が視野の光を光ファイバ３１の端面３１１に結像し、この像の光が、光ファイバ３１を通過し、他の端面３１２に達し、端面３１２における画像が虫眼鏡Ｌ３２によって拡大され、目Ｅ２１に送られる。結像レンズＬ４１が視野の光を光ファイバ３２の端面３２１に結像し、この像の光が、光ファイバ３２を通過し、他の端面３２２に達し、端面３２２における画像が虫眼鏡Ｌ４２によって拡大され、目Ｅ２２に送られる。これによって、視野の画像が目Ｅ２１、Ｅ２２に送られ、装着者Ｐ７は、確実に視認することができる。また、遮蔽板Ｓ０、鉛板１３によって放射線が遮蔽されるので、放射線から目Ｅ２１、Ｅ２２を保護することができる。
【００６１】
なお、光ファイバ３１の端面３１１、光ファイバ３２の端面３２１を、鉛板１３の前（鉛板１３を介して目Ｅ２１、Ｅ２２の前）に設け、端面３１１と３２１との距離を、目Ｅ２１とＥ２２との距離と同じにすれば、自分の目で視野を見たと同じように、視野を見ることができる。
【実施例８】
【００６２】
図８は、本発明の実施例８である放射線防護用眼鏡８００と、放射線防護用眼鏡８００を装着している装着者Ｐ８の顔Ｆ２とを示す平面図である。つまり、図８は、人間が放射線防護用眼鏡８００を装着した場合、人間の頭の上から見た図である。
【００６３】
放射線防護用眼鏡８００は、放射線防護用眼鏡７００において、光ファイバ３１の代わりに、受光素子６１と配線Ｗ１とディスプレイＤ１とを設け、ファイバ３２の代わりに、受光素子６２と配線Ｗ２とディスプレイＤ２とを設けた眼鏡である。
【００６４】
受光素子６１は、結像レンズＬ３１によって結像された像を電気信号に変換し、配線Ｗ１は、受光素子６１とディスプレイＤ１とを接続する。ディスプレイＤ１は、結像レンズＬ３１で結像された像を表示する。
【００６５】
また、受光素子６２は、結像レンズＬ４１によって結像された像を電気信号に変換し、配線Ｗ２は、受光素子６２とディスプレイＤ２とを接続する。ディスプレイＤ２は、結像レンズＬ４１で結像された像を表示する。
【００６６】
次に、放射線防護用眼鏡８００の動作について説明する。
【００６７】
結像レンズＬ３１が視野の光を受光素子６１の結像面に結像し、この像の光を受光素子６１が電気信号に変換し、配線Ｗ１を介して、ディスプレイＤ１に送られ、ディスプレイＤ１に表示されている画像が虫眼鏡Ｌ３２によって拡大され、目Ｅ２１に送られる。一方、結像レンズＬ４１が視野の光を受光素子６２の結像面に結像し、この像の光を受光素子６２が電気信号に変換し、配線Ｗ２を介して、ディスプレイＤ２に送られ、ディスプレイＤ２に表示されている画像が虫眼鏡Ｌ４２によって拡大され、目Ｅ２２に送られる。これによって、視野の画像が目Ｅ２１、Ｅ２２に送られ、装着者Ｐ８は、鉛板１３の前の画像を確実に視認することができる。また、遮蔽板Ｓ０、鉛板１３によって放射線が遮蔽されるので、放射線から目Ｅ２１、Ｅ２２を保護することができる。
【００６８】
放射線防護用眼鏡８００において、受光素子６１、６２は、可視光タイプの受光素子であるが、受光素子６１、６２として、赤外線タイプまたは紫外線タイプを使用するようにしてもよい。
【００６９】
上記各実施例は、装着者の前面を視認する装置であるが、第１のミラーＭ１、Ｍ１１、Ｍ１２、凸面鏡Ｍ３、光ファイバの端面３１１、３２１、受光素子６１、６２を、装着者の横または背後に向ければ、装着者の横または背後の状態を視認することができる。
【符号の説明】
【００７０】
１００、２００、３００、４００、５００、６００、７００…放射線防護用眼鏡、
Ｅ１、Ｅ２１、Ｅ２２…目、
１１、１３…鉛板、
Ｍ１、Ｍ１１、Ｍ１２…第１のミラー、
Ｍ２、Ｍ２１、Ｍ２２…第２のミラー、
Ｍ３…凸面鏡、
Ｍ４…凹面鏡、
Ｌ１…凸レンズ、
Ｌ２…凹レンズ、
３１、３２…光ファイバ、
６１、６２…受光素子、
Ｄ１、Ｄ２…ディスプレイ。
【図１】
2015152548.tif 000003
【図２】
2015152548.tif 000004
【図３】
2015152548.tif 000005
【図４】
2015152548.tif 000006
【図５】
2015152548.tif 000007
【図６】
2015152548.tif 000008
【図７】
2015152548.tif 000009
【図８】
2015152548.tif 000010